(57)【要約】【課題】木質バイオマスなどのバイオマスを用いた固定床ガス化炉のシミュレーションにおいて、精度良くガス化炉内部状態を推算できるモデル化方法を提供する。【解決手段】シミュレーションの解析精度を高めるために、固定床ガス化炉の内部を複数の反応層に細分化し、また、ガス化炉内部で発生した生成ガスを循環させる。これにより、炉内の状態を精度良く表すことが可能となり、炉内の温度分布、生成ガス組成分布等を詳細に把握することが可能となる。このようにして実験を最小限にして、精度良くガス化炉内部状態を推算できるシミュレーションモデルを確立した。【選択図】        図１
2004250574.tif 000002
【特許請求の範囲】
【請求項１】
固定床ガス化炉によるバイオマスのガス化シミュレーションを行うに際して、固定床ガス化炉の内部を反応過程によって複数の反応層に分割し、ガス化炉内部で発生した生成ガスの循環ラインを必要な反応層間に設けて、ガス化炉内部で起こっている反応・現象を細分化したシミュレーションモデルを構築し、精度良くガス化炉内部状態を推算することを特徴とするバイオマス用固定床ガス化炉のモデル化方法。
【請求項２】
固定床ガス化炉の内部を複数の反応層に分割し、各反応層のうち必要なものをさらに分割して反応層を細分化し、ガス化炉内の状態をさらに精度良く表す請求項１記載のバイオマス用固定床ガス化炉のモデル化方法。
【請求項３】
生成ガスの循環ラインは１つ前段の反応層と接続する請求項１又は２記載のバイオマス用固定床ガス化炉のモデル化方法。
【請求項４】
生成ガスの循環ラインは１つ前段の反応層と接続し、反応層のうちさらに分割された反応層では、最下層に生成ガスの循環ラインを設けて前段の反応層と接続する請求項２記載のバイオマス用固定床ガス化炉のモデル化方法。
【請求項５】
生成ガスの循環ラインは１つ前段の反応層と接続し、前段の反応層がさらに分割された反応層の場合は、生成ガスの循環ラインを分割された反応層の最上層に接続する請求項２又は４記載のバイオマス用固定床ガス化炉のモデル化方法。
【請求項６】
固定床ガス化炉によるバイオマスのガス化シミュレーションを行うに際し、生成ガスの循環ラインには生成ガスを一部流すものとしてシミュレーションモデルを構築する請求項１〜５のいずれかに記載のバイオマス用固定床ガス化炉のモデル化方法。
【請求項７】
バイオマスとして水分及び灰分を含む木質バイオマスを用いる請求項１〜６のいずれかに記載のバイオマス用固定床ガス化炉のモデル化方法。
【請求項８】
固定床ガス化炉として、炉内部を乾燥層、熱分解層、燃焼層及び還元層に分割し、炉内で発生した生成ガスの一部を循環させて生成ガスを炉下部から抜き出すダウンドラフト型固定床ガス化炉を用いる請求項１〜７のいずれかに記載のバイオマス用固定床ガス化炉のモデル化方法。
【発明の詳細な説明】
【０００１】
【発明の属する技術分野】
本発明は、プロセスシミュレーションソフトを使用して、バイオマス用固定床ガス化炉の内部現象を精度良く推算することを可能とするモデル化方法に関するものである。
【０００２】
【従来の技術】
従来のガス化反応のシミュレーションでは、炉内で起こっている反応をひとまとめにして計算を行い、得られる生成ガスの組成、流量、温度が実験値とよく合致していることを説明しているものが多い。先行技術としては、石炭ガス化プロセスのシミュレーション及びガス化炉内の諸現象を数値流体解析により予測、評価する際に、石炭の熱分解によって生成する揮発分の成分を擬似成分ＣＨｘＯｙと仮定して石炭ガス化をモデリングするという方法があるが（例えば、特許文献１、特許文献２参照）、この方法でも炉内で起こる反応をひとまとめにして計算を行っている。また、この技術は石炭ガス化に関するものであり、バイオマスを用いるものではない。
【０００３】
【特許文献１】
特開２００２−３５６６８１号公報
【特許文献２】
特開２００２−３５６６８２号公報
【０００４】
【発明が解決しようとする課題】
バイオマスのうち、例えば、木質バイオマスは賦存量が多く、ＣＯ２ニュートラルな資源としてエネルギー利用が期待されている。しかし、木質バイオマスは組成、熱分解反応ともに複雑であるため、精度の良いガス化シミュレーションを行うことが困難であった。
【０００５】
本発明は上記の諸点に鑑みなされたもので、本発明の目的は、木質バイオマスなどのバイオマスを用いた固定床ガス化炉のシミュレーションにおいて、ガス化炉内部での反応過程を細分化したシミュレーションモデルを構築することにより、精度の高いガス化シミュレーションを行うことが可能となるモデル化方法を提供することにある。
【０００６】
【課題を解決するための手段】
上記の目的を達成するために、本発明のバイオマス用固定床ガス化炉のモデル化方法は、固定床ガス化炉によるバイオマスのガス化シミュレーションを行うに際して、ガス化炉の内部を反応過程によって複数の反応層に分割し、ガス化炉内部で発生した生成ガスの循環ラインを必要な反応層間に設けて、ガス化炉内部で起こっている反応・現象を細分化したシミュレーションモデルを構築し、精度良くガス化炉内部状態（炉内の温度分布、生成ガス組成分布等）を推算するように構成されている。
【０００７】
上記の方法において、固定床ガス化炉の内部を複数の反応層に分割する場合、各反応層のうち必要なものをさらに分割して反応層を細分化し、ガス化炉内の状態をさらに精度良く表すようにすることができる。
また、上記の方法において、生成ガスの循環ラインは１つ前段の反応層と接続するものとする。
【０００８】
また、生成ガスの循環ラインを設けるに際し、反応層がさらに複数に分割されている場合、さらに分割された反応層では、最下層に生成ガスの循環ラインを設けて前段の反応層と接続することが好ましい。また、前段の反応層がさらに分割された反応層の場合は、生成ガスの循環ラインを分割された反応層の最上層に接続することが好ましい。
また、これらの方法においては、固定床ガス化炉によるバイオマスのガス化シミュレーションを行うに際し、生成ガスの循環ラインには生成ガスを一部流すものとしてシミュレーションモデルを構築する。
【０００９】
また、これらの方法においては、バイオマスとして、水分、灰分を含む木質バイオマスを用いることができる。
また、これらの方法においては、固定床ガス化炉として、炉内部を乾燥層、熱分解層、燃焼層及び還元層に分割し、炉内で発生した生成ガスの一部を循環させて生成ガスを炉下部から抜き出すダウンドラフト型固定床ガス化炉を用いることができる。
【００１０】
【発明の実施の形態】
以下、本発明の実施の形態を詳細に説明するが、本発明は下記の実施の形態に何ら限定されるものではなく、適宜変更して実施することが可能なものである。
本発明では、シミュレーションの解析精度を高めるために、固定床ガス化炉の内部を複数の反応層に細分化し、また、ガス化炉内部で発生した生成ガスの一部を循環させることを特徴としている。このようにして実験を最小限にして、精度良くガス化炉内部状態を推算できるシミュレーションモデルを確立した。
【００１１】
図１〜図８は、本発明の実施の第１形態として、ダウンドラフト型固定床ガス化炉の反応層と生成ガス循環ラインの配置の具体例を示している。本実施の形態では、固定床ガス化炉のモデル化を行う上で、ガス化炉内部を複数の反応層に分割し、各反応層をそのまま使用するか、もしくは各反応層を必要に応じてさらに細分化している。また、ガス化炉の内部で起こっている生成ガスの流れを、例えば、熱分解層から乾燥層、燃焼層から熱分解層の間に生成ガスの循環ラインを設けることで表現している。なお、図面においては、バイオマス、灰分、チャー等の固体の流れは（Ｓ）で表し、燃焼用空気、生成ガス等のガスの流れは（Ｇ）で表している。
【００１２】
本実施の形態において、バイオマスとしては、水分、灰分を含む木質バイオマス（一例として、間伐材、林地残材、木屑、建築廃材など）を用いることができるが、他のバイオマス、例えば、下水汚泥、畜産廃棄物、農産廃棄物、水産廃棄物など生物由来の物質全般も使用することができる。また、後述するバイオマスのガス化をシミュレーションするためのモデル化方法は、汎用のプロセスシミュレーションソフト、一例として、ＨＹＳＹＳ（Ａｓｐｅｎ  Ｔｅｃｈｎｏｌｏｇｙ  Ｉｎｃ．社）、ＡＳＰＥＮ−Ｐｌｕｓ（Ａｓｐｅｎ  ＴｅｃｈｎｏｌｏｇｙＩｎｃ．社）、ＰＲＯ／ＩＩ（Ｉｎｖｅｎｓｙｓ  ｐｌｃ社）等を使用することによって、バイオマスのガス化プロセスにおけるガス化炉の物質収支、エネルギー収支、化学平衡などの種々のシミュレーションを行うことができる。
【００１３】
図１は、固定床ガス化炉１０の内部を乾燥層、熱分解層、燃焼層、還元層の並び方で４種類の反応層に分割し、１つの乾燥層１２、燃焼層１６と、複数の熱分解層１４ａ、１４ｂ、還元層１８ａ、１８ｂとを組み合わせた例を示している。図１では、燃焼用空気（又は酸素）を分割した反応層の中ほどに供給しており、燃焼用空気の供給位置近傍が燃焼層となるように分割した反応層を配置し、生成ガスの循環ラインは熱分解層と乾燥層、燃焼層と熱分解層の間に設けてモデル化を行っている。この場合、複数に分割された反応層では、生成ガス循環ラインを最下層の反応層（図１では熱分解層１４ｂ）から１つ前の反応層（図１では乾燥層１２）に接続するようにし、１つ前の反応層が複数に分割されているときは、生成ガス循環ラインを分割された反応層の中の１層目（図１では熱分解層１４ａ）に接続するようにしてモデル化を行う。また、本実施の形態は、ダウンドラフト型固定床ガス化炉の場合であり、生成ガスの循環ラインには生成ガスを一部流すものとしてモデル化を行う。
【００１４】
本実施の形態のシミュレーションモデルでは、木質バイオマスを例にとって考えると、乾燥層では木質バイオマス中の水分が蒸発し、熱分解層ではバイオマスの熱分解が行われ、燃焼層ではチャー、タール等の可燃物が部分燃焼し、還元層ではチャーのガス化等が行われる。具体的な一例として、ガス化炉１０に供給したバイオマス（ＣＨ１．４Ｏ０．６＋ｘＨ２Ｏ（液体）＋灰分）は、各反応層で主として以下のような反応が行われるものとする。
【００１５】
▲１▼乾燥層（例えば、６０〜２００℃）ではバイオマスの乾燥が行われる。
ＣＨ１．４Ｏ０．６＋灰分（固体）＋ｘＨ２Ｏ（液体）→ＣＨ１．４Ｏ０．６＋灰分（固体）＋ｘＨ２Ｏ（気体）
▲２▼熱分解層（例えば、２００〜６００℃）では乾燥バイオマスが熱分解される。
ＣＨ１．４Ｏ０．６→ＣＨ４、ＣＯ、ＣＯ２、Ｈ２、Ｈ２Ｏ、Ｃ（チャー）、タール、灰分（固体）
Ｃ（固体）＋ＣＯ２→２ＣＯ、Ｃ（固体）＋Ｈ２Ｏ→ＣＯ＋Ｈ２、ＣＨ４→Ｃ（固体）＋２Ｈ２
▲３▼燃焼層（例えば、６００〜１３００℃）では可燃物が部分酸化（燃焼）される。
Ｃ（固体）、タール、Ｈ２やＣＯ等の可燃ガス＋Ｏ２→ＣＯ、ＣＯ２、Ｈ２Ｏ（気体）等
▲４▼還元層（例えば、８００〜６００℃）ではチャーのガス化が行われる。
Ｃ（固体）＋ＣＯ２→２ＣＯ、Ｃ（固体）＋Ｈ２Ｏ→ＣＯ＋Ｈ２
ＣＨ４＋Ｈ２Ｏ→ＣＯ＋３Ｈ２
【００１６】
生成ガスの循環ラインは、燃焼層よりも上側、すなわち、熱分解層と乾燥層の間、及び燃焼層と熱分解層の間に設けており、上記の反応で発生した生成ガスや水蒸気の一部等が循環するものとする。生成した可燃性の合成ガス（ＣＨ４、ＣＯ、Ｈ２、ＣＯ２、Ｈ２Ｏ、Ｎ２、タールの一部等を含む）は、固体であるＣ（チャー）及び灰分とともに炉底部から抜き出し、生成ガスを分離して取り出す。ダウンドラフト型固定床ガス化炉では、炉内部で発生した生成ガスを循環させることで、タール分を燃焼層で燃焼・分解することができ、炉底部から取り出す可燃性の生成ガスにはタール分がほとんど含まれない。また、乾燥層で蒸発させた水分を凝縮水として生成ガスから分離除去する場合には水分を低減できるので、生成ガス中の水分含有量も少ない。タール分の少ない可燃性ガスとすることで、ガスエンジン等への利用が容易になる。
【００１７】
このようなシミュレーションモデルの解析には、上述したようなプロセスシミュレーションソフトを使用し、固定床ガス化炉の運転の状態を解析する。プロセスシミュレーションソフトの一例として、上述したＨＹＳＹＳを使用する場合は、バイオマス、灰分の物性データをＨＹＳＹＳのデータバンクに登録して使用することができる。また、バイオマスの含水率、灰分量等を設定するとともに、バイオマスのガス化炉への投入量を設定する。さらに、ガス化炉に供給する燃焼用空気の量を決定する。本発明の方法により構築したシミュレーションモデルでは、上記のように、ガス化炉の内部を細分化し、生成ガスの流れを表現することで、得られる計算結果は精度が高くなり、ガス化炉の内部温度分布、生成ガス組成分布等を良好に再現することができる。その結果、実装置での異常高温、腐食等の運転トラブルの回避、運転・設計条件の最適化の検討が容易となる。
【００１８】
図２は、固定床ガス化炉１０の内部を乾燥層、熱分解層、還元層、燃焼層の並び方で４種類の反応層に分割し、１つの乾燥層１２、燃焼層１６と、複数の熱分解層１４ａ、１４ｂ、還元層１８ａ、１８ｂとを組み合わせた例を示している。図２では、燃焼用空気（又は酸素）を分割した反応層の下部（底部）に供給しており、燃焼用空気の供給位置近傍が燃焼層となるように分割した反応層を配置し、生成ガスの循環ラインは熱分解層と乾燥層、還元層と熱分解層、燃焼層と還元層の間に設けてモデル化を行っている。図２では、燃焼層の上に還元層が配置されるものとし、生成ガスの循環ラインは燃焼層よりも上側に設けている。他の構成及び作用等は、図１の場合と同様である。
【００１９】
図３は、固定床ガス化炉１０の内部を乾燥層１２、熱分解層１４、燃焼層１６、還元層１８の並び方で４種類の反応層に分割したもので、各反応層が１つの場合の例を示している。図３では、燃焼用空気（又は酸素）を分割した反応層の中ほどに供給しており、燃焼用空気の供給位置近傍が燃焼層となるように分割した反応層を配置し、生成ガスの循環ラインは熱分解層と乾燥層、燃焼層と熱分解層の間に設けてモデル化を行っている。他の構成及び作用等は、図１の場合と同様である。
【００２０】
図４は、固定床ガス化炉１０の内部を乾燥層１２、熱分解層１４、還元層１８、燃焼層１６の並び方で４種類の反応層に分割したもので、各反応層が１つの場合の例を示している。図４では、燃焼用空気（又は酸素）を分割した反応層の下部（底部）に供給しており、燃焼用空気の供給位置近傍が燃焼層となるように分割した反応層を配置し、生成ガスの循環ラインは熱分解層と乾燥層、還元層と熱分解層、燃焼層と還元層の間に設けてモデル化を行っている。他の構成及び作用等は、図２の場合と同様である。
【００２１】
図５は、固定床ガス化炉１０の内部を乾燥層、熱分解層、燃焼層、還元層の並び方で４種類の反応層に分割したもので、各反応層が複数の場合、すなわち、乾燥層１２ａ、１２ｂ、熱分解層１４ａ、１４ｂ、燃焼層１６ａ、１６ｂ、還元層１８ａ、１８ｂを組み合わせた例を示している。図５では、燃焼用空気（又は酸素）を分割した反応層の中ほどに供給しており、燃焼用空気の供給位置近傍が燃焼層となるように分割した反応層を配置し、生成ガスの循環ラインは熱分解層と乾燥層、燃焼層と熱分解層の間に設けてモデル化を行っている。他の構成及び作用等は、図１の場合と同様である。
【００２２】
図６は、固定床ガス化炉１０の内部を乾燥層、熱分解層、還元層、燃焼層の並び方で４種類の反応層に分割したもので、各反応層が複数の場合、すなわち、乾燥層１２ａ、１２ｂ、熱分解層１４ａ、１４ｂ、還元層１８ａ、１８ｂ、燃焼層１６ａ、１６ｂを組み合わせた例を示している。図６では、燃焼用空気（又は酸素）を分割した反応層の下部（底部）に供給しており、燃焼用空気の供給位置近傍が燃焼層となるように分割した反応層を配置し、生成ガスの循環ラインは熱分解層と乾燥層、還元層と熱分解層、燃焼層と還元層の間に設けてモデル化を行っている。他の構成及び作用等は、図２の場合と同様である。
【００２３】
図７は、バイオマスと燃焼用空気（又は酸素）を固定床ガス化炉１０における同じ反応層（乾燥層１２）に供給するものであり、炉内部を乾燥層１２、熱分解層１４、燃焼層１６、還元層１８の並び方で４種類の反応層に分割したものであって、各反応層が１つの場合の例を示している。生成ガスの循環ラインは熱分解層と乾燥層、燃焼層と熱分解層の間に設けてモデル化を行っている。なお、図７では、燃焼用空気を分割した反応層の上部に供給しており、生成ガスは下方に向かう押出し流れの傾向となるため、生成ガスの循環量は少ないものとなる。他の構成及び作用等は、図１、図３の場合と同様である。
【００２４】
図８は、バイオマスと燃焼用空気（又は酸素）を固定床ガス化炉１０における同じ反応層（乾燥層１２）に供給するものであり、炉内部を乾燥層、熱分解層、燃焼層、還元層の並び方で４種類の反応層に分割したものであって、１つの乾燥層１２、熱分解層１４、燃焼層１６と、複数の還元層１８ａ、１８ｂとを組み合わせた例を示している。生成ガスの循環ラインは熱分解層と乾燥層、燃焼層と熱分解層の間に設けてモデル化を行っている。なお、図８では、燃焼用空気を分割した反応層の上部に供給しており、生成ガスは下方に向かう押出し流れの傾向となるため、生成ガスの循環量は少ないものとなる。他の構成及び作用等は、図１、図３の場合と同様である。
【００２５】
図９、図１０は、本発明の実施の第２形態として、アップドラフト型固定床ガス化炉の反応層と生成ガス循環ラインの配置の具体例を示している。本実施の形態では、固定床ガス化炉のモデル化を行う上で、ガス化炉内部を複数の反応層に分割し、各反応層をそのまま使用するか、もしくは各反応層を必要に応じてさらに細分化している。また、ガス化炉の内部で発生した生成ガスは、燃焼層、還元層、熱分解層、そして乾燥層へと順次上方向に流れる。
【００２６】
図９は、固定床ガス化炉２０の内部を乾燥層１２、熱分解層１４、還元層１８、燃焼層１６の並び方で４種類の反応層に分割したもので、各反応層が１つの場合の例を示している。図９では、燃焼用空気（又は酸素）を分割した反応層の下部（底部）に供給しており、燃焼用空気の供給位置近傍が燃焼層となるように分割した反応層を配置し、生成ガスは燃焼層、還元層、熱分解層、そして乾燥層へと順次上方向に流れるものとしてモデル化を行っている。本実施の形態は、燃焼用空気を炉下部から供給して生成ガスを炉上部から抜き出すアップドラフト型固定床ガス化炉の場合である。他の構成及び作用等は、実施の第１形態の場合と同様である。
【００２７】
図１０は、固定床ガス化炉２０の内部を乾燥層、熱分解層、還元層、燃焼層の並び方で４種類の反応層に分割したもので、１つの乾燥層１２、熱分解層１４、燃焼層１６と、複数の還元層１８ａ、１８ｂとを組み合わせた例を示している。図１０では、燃焼用空気（又は酸素）を分割した反応層の下部（底部）に供給しており、燃焼用空気の供給位置近傍が燃焼層となるように分割した反応層を配置し、生成ガスは一層ずつ順次上方向に流れる。本実施の形態は、燃焼用空気を炉下部から供給して生成ガスを炉上部から抜き出すアップドラフト型固定床ガス化炉の場合である。他の構成及び作用等は、図９及び実施の第１形態の場合と同様である。
【００２８】
図１１は、本発明の実施の第３形態として、その他の型の固定床ガス化炉の反応層と生成ガス循環ラインの配置の具体例を示している。図１１は、固定床ガス化炉２２の内部を乾燥層１２、熱分解層１４、燃焼層１６、還元層１８の４種類の反応層に分割したもので、複数の反応層に分岐する場合、例えば、熱分解層１４から燃焼層１６及び還元層１８に分岐するように反応層を配置するものとした例を示している。図１１では、燃焼用空気（又は酸素）の供給位置近傍が燃焼層１６となるようにし、熱分解層１４の下で燃焼層１６から離れた位置に還元層１８が配置されるものとする。生成ガスの循環ラインは熱分解層と乾燥層、還元層と熱分解層の間に設けてモデル化を行っている。なお、各反応層を必要に応じてさらに細分化するものとしても良い。他の構成及び作用等は、実施の第１形態の場合と同様である。
【００２９】
以上説明した本発明の実施の形態では、固定床ガス化炉の内部を乾燥層、熱分解層、燃焼層、還元層の４種類の反応層に分割し、各反応層を分割せずに使用するか、もしくは必要に応じて２つに分割し、生成ガスの循環ラインは熱分解層と乾燥層、燃焼層と熱分解層などの間に設けてモデル化を行ったが、本発明は上述したような反応層及び生成ガス循環ラインの配置等に限定されるものではない。なお、各反応層をより細かく分割して計算を行うことで、ガス化炉の内部温度分布及びガス化炉内部生成ガス組成は、より実験データに近い計算結果となることが期待されるが、計算時間や、ガス化炉の内部温度分布や生成ガス組成分布など得られる計算結果と実験データを比較・検討した場合、現実的には、熱分解層及び還元層の２つの反応層をさらに２つ程度に分割し、乾燥層及び燃焼層は１つの反応層として計算することが好ましいと考えられる。
【００３０】
つぎに、図１に示す構成の固定床ガス化炉を用いて木質バイオマスを定常状態でガス化する場合のシミュレーションモデルの解析を実施する。計算にはプロセスシミュレーションソフトであるＨＹＳＹＳを使用するが、プロセスシミュレーションソフトは特に限定されるものではない。また、計算を行う際に、木質バイオマスの分子式をＣ２０Ｈ２４Ｏ１２、灰分の分子式をＣａＯで代表するものとするが、この分子式に限られるものではない。木質バイオマスは含水率を２０ｗｔ％、灰分を０．５ｗｔ％とし、９０ｋｇ／ｈでガス化炉に投入するものとする。ガス化炉に供給する燃焼用空気の量は、木質バイオマスを完全燃焼するのに必要な空気量を１とした場合の０．３を供給するものとする。ガスの循環量は、各層の想定温度、すなわち、乾燥層：６０〜２００℃、熱分解層：２００〜６００℃、燃焼層：６００〜１３００℃、還元層：８００〜６００℃、となるように調節する。反応層がさらに複数に分割されている場合には、分割された層の中で最も後段（下段）にある層が上記の想定温度となるように調節する。
【００３１】
表１には、上記のシミュレーションモデルの計算結果と図１に示す固定床ガス化炉による実験データを示している。表１の結果からわかるように、構築したシミュレーションモデルによる生成ガスの組成、流量、熱量の計算値と、図１に示すダウンドラフト型固定床ガス化炉による生成ガスの組成、流量、熱量の実験データ（実測値）とを比較すると、本モデルによる計算結果は実験データを非常に良く近似しているものである。図１２に、ガス化炉内部の生成ガス組成分布（計算結果）と実測データを比較したグラフを示す。また、図１３に、ガス化炉内部の温度分布の計算結果を示す。これらのことから、本発明のモデル化方法はバイオマスのガス化条件を検討するのに有効であることがわかる。また、実際にはデータを収集することが難しいガス化炉内部の生成ガス組成分布、温度分布等の状態を推測することが可能となり、実装置で異常高温や腐食等の運転トラブルを回避したり、運転・設計条件の最適化を検討する上で、本発明のモデル化方法は非常に有効であることがわかる。
【００３２】
【表１】
2004250574.tif 000003
【００３３】
【発明の効果】
本発明は上記のように構成されているので、つぎのような効果を奏する。
（１）  固定床ガス化炉の内部を細分化し、生成ガスの流れを考慮した解析方法であるため、炉内の状態を精度良く表すことが可能となり、炉内部の温度分布や生成ガス組成分布等をより正確に把握することができる。
（２）  固定床ガス化炉において、炉内温度分布や生成ガス組成分布等を詳細に把握することが可能となったので、実装置での異常高温や腐食等の運転トラブルの回避、運転・設計条件の最適化の検討が容易になる。
（３）  本発明のモデル化方法を用いることで、例えば、ダウンドラフト型固定床ガス化炉による木質バイオマスのガス化反応を精度良くシミュレーションすることができ、ガス化条件の検討に非常に有効である。これにより、ガス化炉で得られた可燃性の生成ガスをエネルギーとして有効利用することも容易になる。
【図面の簡単な説明】
【図１】本発明の実施の第１形態によるモデル化方法を実施する場合の固定床ガス化炉における反応層配置の一例（ダウンドラフト型固定床ガス化炉）を示す概念説明図である。
【図２】本発明の実施の第１形態によるモデル化方法を実施する場合の固定床ガス化炉における反応層配置の他の例（ダウンドラフト型固定床ガス化炉）を示す概念説明図である。
【図３】本発明の実施の第１形態によるモデル化方法を実施する場合の固定床ガス化炉における反応層配置の他の例（ダウンドラフト型固定床ガス化炉）を示す概念説明図である。
【図４】本発明の実施の第１形態によるモデル化方法を実施する場合の固定床ガス化炉における反応層配置の他の例（ダウンドラフト型固定床ガス化炉）を示す概念説明図である。
【図５】本発明の実施の第１形態によるモデル化方法を実施する場合の固定床ガス化炉における反応層配置の他の例（ダウンドラフト型固定床ガス化炉）を示す概念説明図である。
【図６】本発明の実施の第１形態によるモデル化方法を実施する場合の固定床ガス化炉における反応層配置の他の例（ダウンドラフト型固定床ガス化炉）を示す概念説明図である。
【図７】本発明の実施の第１形態によるモデル化方法を実施する場合の固定床ガス化炉における反応層配置の他の例（ダウンドラフト型固定床ガス化炉）を示す概念説明図である。
【図８】本発明の実施の第１形態によるモデル化方法を実施する場合の固定床ガス化炉における反応層配置のさらに他の例（ダウンドラフト型固定床ガス化炉）を示す概念説明図である。
【図９】本発明の実施の第２形態によるモデル化方法を実施する場合の固定床ガス化炉における反応層配置の一例（アップドラフト型固定床ガス化炉）を示す概念説明図である。
【図１０】本発明の実施の第２形態によるモデル化方法を実施する場合の固定床ガス化炉における反応層配置の他の例（アップドラフト型固定床ガス化炉）を示す概念説明図である。
【図１１】本発明の実施の第３形態によるモデル化方法を実施する場合の固定床ガス化炉における反応層配置の一例を示す概念説明図である。
【図１２】図１に示す構成の固定床ガス化炉を用いて木質バイオマスをガス化する場合のガス化炉内部の生成ガス組成分布（計算結果）を実測データと併せて示したグラフである。
【図１３】図１に示す構成の固定床ガス化炉を用いて木質バイオマスをガス化する場合のガス化炉内部の温度分布（計算結果）を示すグラフである。
【符号の説明】
１０、２０、２２  固定床ガス化炉
１２、１２ａ、１２ｂ  乾燥層
１４、１４ａ、１４ｂ  熱分解層
１６、１６ａ、１６ｂ  燃焼層
１８、１８ａ、１８ｂ  還元層
【図１】
2004250574.tif 000004
【図２】
2004250574.tif 000005
【図３】
2004250574.tif 000006
【図４】
2004250574.tif 000007
【図５】
2004250574.tif 000008
【図６】
2004250574.tif 000009
【図７】
2004250574.tif 000010
【図８】
2004250574.tif 000011
【図９】
2004250574.tif 000012
【図１０】
2004250574.tif 000013
【図１１】
2004250574.tif 000014
【図１２】
2004250574.tif 000015
【図１３】
2004250574.tif 000016